(57)【要約】【課題】  本発明はテレビ視聴者の好みに応じて音声、映像および字幕をそれぞれ任意に数秒間遅らせて表示できるようにして、快適なテレビの視聴環境が得られるテレビ受像機の表示およびテレビ受像機を得るにある。【解決手段】  テレビ放送の音声データ、映像データおよび字幕データを受信する放送データの受信工程と、この放送データの受信工程で受信した音声データの送出タイミングを任意にコントロールする音声データ送出タイミングコントロール工程、映像データの送出タイミングを任意にコントロールする映像データ送出タイミングコントロール工程および字幕データの送出タイミングを任意にコントロールする字幕データ送出タイミングコントロール工程とからなる変復調工程と、この変復調工程の音声データ送出タイミングコントロール工程でコントロールされた音声を出す復調音声、映像を表示する復調映像および字幕を表示する復調字幕を表示部に表示する表示工程とでテレビ受像機の表示方法を構成している。【選択図】  図２
2010141481.tif 000002
【特許請求の範囲】
【請求項１】
テレビ放送の音声データ、映像データおよび字幕データを受信する放送データの受信工程と、この放送データの受信工程で受信した音声データの送出タイミングを任意にコントロールする音声データ送出タイミングコントロール工程、前記放送データの受信工程で受信した映像データの送出タイミングを任意にコントロールする映像データ送出タイミングコントロール工程および前記放送データの受信工程で受信した字幕データの送出タイミングを任意にコントロールする字幕データ送出タイミングコントロール工程とからなる変復調工程と、この変復調工程の音声データ送出タイミングコントロール工程でコントロールされた音声を出す復調音声、前記変復調工程の映像データ送出タイミングコントロール工程でコントロールされた映像を表示する復調映像および前記変復調工程の字幕データ送出タイミングコントロール工程でコントロールされた字幕を表示する復調字幕を表示部に表示する表示工程とからなるテレビ受像機の表示方法。
【請求項２】
音声データ送出タイミングコントロール工程、映像データ送出タイミングコントロール工程および字幕データ送出タイミングコントロール工程はそれぞれ任意に０〜１０秒間を遅らせて表示工程で表示できることを特徴とする請求項1記載のテレビ受像機の表示方法。
【請求項３】
テレビ放送の音声データ、映像データおよび字幕データを受信する放送データの受信部と、この放送データの受信部で受信した音声データの送出タイミングを任意にコントロールする音声データ送出タイミングコントロール部、前記放送データの受信部で受信した映像データの送出タイミングを任意にコントロールする映像データ送出タイミングコントロール部および前記放送データの受信部で受信した字幕データの送出タイミングを任意にコントロールする字幕データ送出タイミングコントロール部とからなる変復調部と、この変復調部の音声データ送出タイミングコントロール部でコントロールされた音声を出す復調音声、前記変復調部の映像データ送出タイミングコントロール部でコントロールされた映像を表示する復調映像および前記変復調部の字幕データ送出タイミングコントロール部でコントロールされた字幕を表示する復調字幕とからなる表示部とを備えたことを特徴とするテレビ受像機。
【請求項４】
変復調部の音声データ送出タイミングコントロール部、映像データ送出タイミングコントロール部および字幕データ送出タイミングコントロール部はそれぞれ任意に０〜１０秒間、遅らせて表示部で同期表示できることを特徴とする請求項３載のテレビ受像機。
【請求項５】
変復調部はテレビ受像機本体のテレビ放送の音声データ、映像データおよび字幕データを受信する放送データの受信部とテレビ受像機本体の音声、映像および字幕を表示する表示部に接続できるようにテレビ受像機本体とは別体に構成されていることを特徴とする請求項３載のテレビ受像機。
【発明の詳細な説明】
【技術分野】
【０００１】
本発明はテレビ受像機の表示方法およびテレビ受像機に関する。
【背景技術】
【０００２】
従来のテレビ受像機は放送受信部で受けた音声データ、映像データ、字幕データを表示部で表示している。このため、生放送等の字幕は放送を聞きながら入力しているため、表示部に字幕表示されるまでに数秒間の遅れが生じて、快適なテレビの視聴環境にならないという欠点があった。
また、外国語の同時通訳において、話し手と通訳内容とにタイムラグが生じて前記と同じ欠点があった。
【特許文献１】特になし
【発明の開示】
【発明が解決しようとする課題】
【０００３】
本発明は以上のような従来の欠点に鑑み、テレビ視聴者の好みに応じて音声、映像および字幕をそれぞれ任意に数秒間遅らせて表示できるようにして、快適なテレビの視聴環境が得られるテレビ受像機の表示およびテレビ受像機を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はテレビ放送の音声データ、映像データおよび字幕データを受信する放送データの受信工程と、この放送データの受信工程で受信した音声データの送出タイミングを任意にコントロールする音声データ送出タイミングコントロール工程、前記放送データの受信工程で受信した映像データの送出タイミングを任意にコントロールする映像データ送出タイミングコントロール工程および前記放送データの受信工程で受信した字幕データの送出タイミングを任意にコントロールする字幕データ送出タイミングコントロール工程とからなる変復調工程と、この変復調工程の音声データ送出タイミングコントロール工程でコントロールされた音声を出す復調音声、前記変復調工程の映像データ送出タイミングコントロール工程でコントロールされた映像を表示する復調映像および前記変復調工程の字幕データ送出タイミングコントロール工程でコントロールされた字幕を表示する復調字幕を表示部に表示する表示工程とでテレビ受像機の表示方法を構成している。
【０００６】
本発明はテレビ放送の音声データ、映像データおよび字幕データを受信する放送データの受信部と、この放送データの受信部で受信した音声データの送出タイミングを任意にコントロールする音声データ送出タイミングコントロール部、前記放送データの受信部で受信した映像データの送出タイミングを任意にコントロールする映像データ送出タイミングコントロール部および前記放送データの受信部で受信した字幕データの送出タイミングを任意にコントロールする字幕データ送出タイミングコントロール部とからなる変復調部と、この変復調部の音声データ送出タイミングコントロール部でコントロールされた音声を出す復調音声、前記変復調部の映像データ送出タイミングコントロール部でコントロールされた映像を表示する復調映像および前記変復調部の字幕データ送出タイミングコントロール部でコントロールされた字幕を表示する復調字幕とからなる表示部とを備えてテレビ受像機を構成している。
【発明の効果】
【０００７】
以上の説明から明らかなように、本発明にあっては次に列挙する効果が得られる。
【０００８】
（１）テレビ放送の音声データ、映像データおよび字幕データを受信する放送データの受信工程と、この放送データの受信工程で受信した音声データの送出タイミングを任意にコントロールする音声データ送出タイミングコントロール工程、前記放送データの受信工程で受信した映像データの送出タイミングを任意にコントロールする映像データ送出タイミングコントロール工程および前記放送データの受信工程で受信した字幕データの送出タイミングを任意にコントロールする字幕データ送出タイミングコントロール工程とからなる変復調工程と、この変復調工程の音声データ送出タイミングコントロール工程でコントロールされた音声を出す復調音声、前記変復調工程の映像データ送出タイミングコントロール工程でコントロールされた映像を表示する復調映像および前記変復調工程の字幕データ送出タイミングコントロール工程でコントロールされた字幕を表示する復調字幕を表示部に表示する表示工程とからなるので、テレビ放送の音声データ、映像データおよび字幕データをテレビ視聴者の好みに応じて、それぞれ任意に遅らせて表示部に表示することができる。
したがって、通常の生放送では字幕が数秒間遅れるが、音声および映像を数秒間遅らせ同期表示させることができ、快適なテレビの視聴をすることができる。
【０００９】
（２）前記（１）によって、音声データ、映像データおよび字幕データをそれぞれ任意に遅らせて表示部に表示できるので、同時通訳、外国語教育、言語教育等でも効率のよい理解や、教育を行なうことができる。
【００１０】
（３）前記（１）によって、放送データの受信工程と表示工程との間に音声データ送出タイミングコントロール工程、映像データ送出タイミングコントロール工程および字幕データ送出タイミングコントロールとからなる変復調工程を介装すればよいので、比較的容易に実施することができる。
【００１１】
（４）請求項２も前記（１）〜（３）と同様な効果が得られるとともに、音声データ、映像データ、字幕データの送出タイミングを０〜１０秒間の任意に設定することができる。
【００１２】
（５）請求項３、４も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図３に示す本発明を実施するための最良の第１の形態において、１は本発明のテレビ受像機で、このテレビ受像機1はテレビ放送の音声データ２、映像データ３および字幕データ4を受信する放送データの受信工程５を行なう放送データの受信部6と、この放送データの受信部６で受信した音声データ２の送出タイミングを、音声ダイヤル7を用いて０〜１０秒、任意に遅らせるコントロールをする音声データ送出タイミングコントロール工程８を行なう音声データ送出タイミングコントロール部９、前記放送データの受信部６で受信した映像データ３の送出タイミングを、映像ダイヤル１０を用いて０〜１０秒、任意に遅らせるコントロールをする映像データ送出タイミングコントロール工程１１を行なう映像データ送出タイミングコントロール部１２および、前記放送データの受信部６で受信した字幕データ４の送出タイミングを、字幕ダイヤル１３を用いて０〜１０秒、任意に遅らせるコントロールをする字幕データ送出タイミングコントロール工程１４を行なう字幕データ送出タイミングコントロール部１５とからなる変復調工程１６を行なう変復調部１７と、この変復調部１７の音声データ送出タイミングコントロール部９でコントロールされた音声をスピーカー１８、１８で出す復調音声１９、前記変復調部１７の映像データ送出タイミングコントロール部１２でコントロールされた映像をディスプレー２０で表示する復調映像２１および前記変復調部１７の字幕データ送出タイミングコントロール部１５でコントロールされた字幕を前記ディスプレー２０で表示する復調字幕２２とからなる表示部２３とで構成されている。
【００１５】
このように構成されたテレビ受信機１は音声データ送出タイミングコントロール部９の音声ダイヤル７、映像データ送出タイミングコントロール部１２の映像ダイヤル１０および字幕データ送出タイミングコントロール部１５の字幕ダイヤル１３によって、放送データ受信部６で受信した音声データ２、映像データ３および字幕データ４をそれぞれ０〜１０秒、遅らせて表示部２３に表示することができる。
このため、生放送等の字幕は映像と音声とを同期表示させることができたり、映像よりも音声や字幕を遅らせたり、音声や字幕よりも映像を遅らせたりして、外国語教育や言語教育に利用することができる。
[発明を実施するための異なる形態]
【００１６】
次に、図４ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図４ないし図６に示す本発明を実施するための第２の形態において、前記本発明を実施するための最良の第１の形態と主に異なる点は、音声レバー２４を用いた音声データ送出タイミングコントロール部９Ａと映像レバー２５を用いた映像データ送出タイミングコントロール部１２Ａと、字幕レバー２６を用いた字幕データ送出タイミングコントロール部１５Ａとからなり変復調部１７Ａを用いた点で、このような変復調部１７Ａを用いて構成したテレビ受像機の表現方法を用いたテレビ受像機１Ａにしても、前記本発明を実施するための最良の第１の形態と同様な作用効果が得られる。
【００１８】
図７ないし図９に示す本発明を実施するための第３の形態において、前記本発明を実施するための最良の第１の形態と主に異なる点は、音声データ送出タイミングコントロール部９、映像データ送出タイミングコントロール部１２および字幕データ送出タイミングコントロール部１５をリモコン２７で操作できるようにリモコン２７に音声コントロール釦２８、映像コントロール釦２９および字幕コントロール釦３０を設け、このリモコン２７のリモコン発光部３１よりの光を受けるリモコン受光部３２に音声データ送出タイミングコントロール部９、映像データ送出タイミングコントロール部１２および字幕データ送出タイミングコントロール部１５を接続した点で、このように構成したテレビ受像機１Ｂにしても、前記本発明を実施するための最良の第１の形態と同様な作用効果が得られる。
【００１９】
図１０および図１１に示す本発明を実施するための第４の形態において、前記本発明を実施するための最良の第１の形態と主に異なる点は、変復調部１７Ｂをテレビ受像機本体３３のテレビ放送の音声データ２、映像データ３および字幕データ4を受信する放送データの受信部6とテレビ受像機本体３３の音声を出すスピーカー１８，１８、映像を出すディスプレー２０および字幕を表示するディスプレー２０の表示部２３に接続できるようにテレビ受像機本体３３とは別体に構成した点で、このように構成したテレビ受像機１Ｃにしても、前記本発明を実施するための最良の第１の形態と同様な作用効果が得られるとともに、比較的に容易に開発を進めることができる。
【産業上の利用可能性】
【００２０】
本発明は外国語教育、言語教育用のテレビ受像機や字幕放送用のテレビ受像機を製造する産業で利用される。
【図面の簡単な説明】
【００２１】
【図１】本発明を実施するための最良の第１の形態の工程図。
【図２】本発明を実施するための最良の第１の形態のシステム構成図。
【図３】本発明を実施するための最良の第１の形態のブロック図。
【図４】本発明を実施するための第２の形態の工程図。
【図５】本発明を実施するための第２の形態のシステム構成図。
【図６】本発明を実施するための第２の形態のブロック図。
【図７】本発明を実施するための第３の形態の工程図。
【図８】本発明を実施するための第３の形態のシステム構成図。
【図９】本発明を実施するための第３の形態のブロック図。
【図１０】本発明を実施するための第4の形態のシステム構成図。
【図１１】本発明を実施するための第4の形態のブロック図。
【符号の説明】
【００２２】
１、１Ａ、１Ｂ、１Ｃ：テレビ受像機、
２：音声データ、              ３：映像データ、
４：字幕データ、              ５：放送データの受信工程、
６：放送データの受信部、      ７：音声ダイヤル、
８：音声データ送出タイミングコントロール工程、
９、９Ａ：音声データ送出タイミングコントロール部、
１０：映像ダイヤル、
１１：映像データ送出タイミングコントロール工程、
１２、１２Ａ：エイズデータ送出タイミングコントロール部、
１３：字幕ダイヤル、
１４：字幕データ送出タイミングコントロール工程、
１５、１５Ａ：字幕データ送出タイミングコントロール部、
１６：変復調工程、            １７、１７Ａ、１７Ｂ：変復調部、
１８：スピーカー、            １９：復調音声、
２０：ディスプレー、          ２１：復調映像、
２２：復調字幕、              ２３：表示部、
２４：音声レバー、            ２５：映像レバー、
２６：字幕レバー、            ２７：リモコン、
２８：音声コントロール釦、    ２９：映像コントロール釦、
３０：字幕コントロール釦、    ３１：リモコン発光部、
３２：リモコン受光部、        ３３：テレビ受像機本体。
【図１】
2010141481.tif 000003
【図２】
2010141481.tif 000004
【図３】
2010141481.tif 000005
【図４】
2010141481.tif 000006
【図５】
2010141481.tif 000007
【図６】
2010141481.tif 000008
【図７】
2010141481.tif 000009
【図８】
2010141481.tif 000010
【図９】
2010141481.tif 000011
【図１０】
2010141481.tif 000012
【図１１】
2010141481.tif 000013